(57)【要約】【課題】安価で軽量の液体散布装置を提供する。【解決手段】タンク１には該タンクの略二分の一の容積を有し、かつ、一端３ａを開口した袋体３を内設し、該袋体は、当該一端の開口縁３ａ’をタンクの中央部１ａ内面に該袋体が該タンク内にて表裏反転自在になるように密着させる。タンクには液体注入口５を備えさせ、タンクの一対の端部１ｂ、１ｃにはタンクを内外に貫く第一挿通孔９ａと第二挿通孔９ｂとを備えさせ、袋体の底部３ｂに臨む第一挿通孔には水道管又はエンジン排気ガス管１３を接続し、第二挿通孔には液体散布管１７を接続し、該タンクには液体を液体注入口より注入し、袋体の底部に臨む第一挿通孔を介して水道水又はエンジン排気ガスをタンク内に圧入して袋体の底部を液体散布管が接続された第二挿通孔に接近する方向に押圧させることにより、タンク内の液体を液体散布管より散布する。【選択図】図１
2018126083.tif 000002
【特許請求の範囲】
【請求項１】
タンクには該タンクの略二分の一の容積を有し、かつ、一端を開口した袋を内設し、
該袋体は、当該一端の開口縁を該タンクの中央部における内面に該袋体が該タンク内にて表裏反転自在になるように密着させ、
該タンクには液体注入口を備えさせ、
該タンクにおける前記中央部を挟んで相対向する一対の端部には該タンクを内外に貫く第一挿通孔と第二挿通孔とを備えさせ、前記袋体の底部に臨む第一挿通孔には水道管又はエンジン排気ガス管を接続し、第二挿通孔には液体散布管を接続し、
該タンクには散布する液体を該液体注入口より注入し、該袋体の底部に臨む前記第一挿通孔を介して該水道管又はエンジン排気ガス管より水道水又はエンジン排気ガスを該タンク内に圧入して該袋体の底部を液体散布管が接続された前記第二挿通孔に接近する方向に押圧させることにより、該タンク内の液体を該液体散布管より散布するようにしたことを特徴とする液体散布装置。
【請求項２】
前記液体注入口は、前記タンクにおける前記中央部を挟んで相対向する位置にそれぞれ備えさせた第一液体注入口と第二液体注入口とよりなり、
前記水道管又はエンジン排気ガス管と液体散布管とは前記第一挿通孔と第二挿通孔とのいずれに対しても接続・分離可能であり、
前記袋体の底部を液体散布管が接続された前記第二挿通孔に接近する方向に押圧させて該タンク内の液体を該液体散布管より散布した後、前記第一挿通孔には水道管又はエンジン排気ガス管に代えて液体散布管を接続し、前記第二挿通孔には液体散布管に代えて水道管又はエンジン排気ガス管を接続すると共に、散布する液体を該袋体に臨まない第二液体注入口を介して該タンク内に注入し、袋体の底部に臨む前記第ニ挿通孔を介して該水道管又はエンジン排気ガス管より水道水又はエンジン排気ガスを該タンク内に圧入して該袋体の底部を液体散布管が接続された前記第一挿通孔に接近する方向に押圧させることにより、該タンク内の液体を該液体散布管より散布するようにしたことを特徴とする請求項１に記載の液体散布装置。
【請求項３】
前記タンクは上下方向に折り畳み自在であることを特徴とする請求項１又は２に記載の液体散布装置。
【発明の詳細な説明】
【技術分野】
【０００１】
本発明は、農薬その他の液体を散布するための液体散布装置に関するものである。
【背景技術】
【０００２】
液体散布装置としては、例えば特開２０００−１６６４５４号公報に示すように、タンクに収容した液体をエンジン又は電気モータによりポンプを作動させて散布するようにしたもの（以下「従来の液体散布装置」という。）が広く使用されている。
【先行技術文献】
【特許文献】
【０００３】
【特許文献１】特開２０００−１６６４５４号公報
【発明の概要】
【発明が解決しようとする課題】
【０００４】
しかるに、上記従来の液体散布装置は、エンジン又は電気モータにより作動するポンプを備えているため、製造コストが嵩むだけでなく、装置全体の重量が増大するため該装置の運搬等が面倒になるおそれがある。
【０００５】
本発明は、上記従来の液体散布装置における上述の如き問題を解決し、極めて安価に製造することができると共に、軽量であって運搬等が容易な液体散布装置を提供しようとしてなされたものである。
【課題を解決するための手段】
【０００６】
上記課題を解決するために、本発明は下記の液体散布装置を提供するものである。
【０００７】
（１）タンクには該タンクの略二分の一の容積を有し、かつ、一端を開口した袋体を内設し、
該袋体は、当該一端の開口縁を該タンクの中央部における内面に該袋体が該タンク内にて表裏反転自在になるように密着させ、
該タンクには液体注入口を備えさせ、
該タンクにおける前記中央部を挟んで相対向する一対の端部には該タンクを内外に貫く第一挿通孔と第二挿通孔とを備えさせ、前記袋体の底部に臨む第一挿通孔には水道管又はエンジン排気ガス管を接続し、第二挿通孔には液体散布管を接続し、
該タンクには散布する液体を該液体注入口より注入し、該袋体の底部に臨む前記第一挿通孔を介して該水道管又はエンジン排気ガス管より水道水又はエンジン排気ガスを該タンク内に圧入して該袋体の底部を液体散布管が接続された前記第二挿通孔に接近する方向に押圧させることにより、該タンク内の液体を該液体散布管より散布するようにしたことを特徴とする液体散布装置（請求項１）。
【０００８】
（２）前記液体注入口は、前記タンクにおける前記中央部を挟んで相対向する位置にそれぞれ備えさせた第一液体注入口と第二液体注入口とよりなり、
前記水道管又はエンジン排気ガス管と液体散布管とは前記第一挿通孔と第二挿通孔とのいずれに対しても接続・分離可能であり、
前記袋体の底部を液体散布管が接続された前記第二挿通孔に接近する方向に押圧させて該タンク内の液体を該液体散布管より散布した後、前記第一挿通孔には水道管又はエンジン排気ガス管に代えて液体散布管を接続し、前記第二挿通孔には液体散布管に代えて水道管又はエンジン排気ガス管を接続すると共に、散布する液体を該袋体に臨まない第二液体注入口を介して該タンク内に注入し、袋体の底部に臨む前記第ニ挿通孔を介して該水道管又はエンジン排気ガス管より水道水又はエンジン排気ガスを該タンク内に圧入して該袋体の底部を液体散布管が接続された前記第一挿通孔に接近する方向に押圧させることにより、該タンク内の液体を該液体散布管より散布するようにする（請求項２）。
【０００９】
（３）前記タンクは、上下方向に折り畳み自在である（請求項３）。
【発明の効果】
【００１０】
[請求項１の発明]
請求項１の発明による液体散布装置は、エンジン又は電気モータにより作動するポンプを備えておらず、水道水又はエンジン排気ガスを動力源として用いている。したがって、この液体散布装置は、極めて安価に製造することができると共に、装置全体が軽量であって、該装置の運搬等が極めて容易である。
【００１１】
[請求項２の発明]
請求項２の発明による液体散布装置は、タンクにおける中央部を挟んで相対向する位置にそれぞれ第一液体注入口と第二液体注入口とを備えさせ、水道管又はエンジン排気ガス管と液体散布管とは第一挿通孔と第二挿通孔とに対して接続・分離可能であるため、タンク内の液体をすべて散布した後、該タンクに新しい液体を注入して再び散布することができる。
【００１２】
［請求項３の発明］
請求項３の発明による液体散布装置は、タンクが上下方向に折り畳み自在であるため、該タンクをコンパクトな状態に折り畳んだ状態で、容易に運搬、収納ないし保管することができる。
【図面の簡単な説明】
【００１３】
【図１】図１は本発明による液体散布装置の一例を示す断面図である。
【図２】図２は同上の別の断面図である。
【図３】図３は図１のＩＩＩ−ＩＩＩ線における断面図である。
【図４】図４は図１のＩＶ−ＩＶ線における断面図である。
【図５】図５は図１のＶ−Ｖ線における断面図である。
【図６】図６はタンクを上下方向に折り畳み自在に形成した状態の一例を示す正面図である。
【発明を実施するための形態】
【００１４】
符号１に示すものは本発明による液体散布装置のタンクである。図示のタンク１は略円形状の断面を有するが、タンク１は略楕円形状、略正方形状、略長方形状等の断面を有するものであってもよい。
【００１５】
タンク１には該タンク１の略二分の一の容積を有し、かつ、一端３ａを開口した袋体３を内設する。該袋体３は、当該一端３ａの開口縁３ａ’を該タンク１の中央部１ａにおける内面に該袋体３が該タンク１内にて表裏反転自在になるように密着させる。袋体３は、例えば、ゴムあるいはポリ塩化ビニル樹脂その他の合成樹脂等の可撓性材料により形成する。
【００１６】
タンク１には液体注入口５を備えさせる。液体散布装置により散布される液体７は、該液体注入口５を介してタンク１内に注入される。該液体７は、予め農薬等として形成されたものを該液体注入口５を介してタンク１内に注入してもよいが、原液と希釈水とを順次該液体注入口５を介してタンク１内に注入してもよい。
【００１７】
タンク１における前記中央部１ａを挟んで相対向する一対の端部１ｂ、１ｃにはそれぞれ該タンク１を内外に貫く第一挿通孔９ａと第二挿通孔９ｂとを備えさせる。前記袋体３の底部３ｂに臨む第一挿通孔９ａには接続手段１５ａを介して水道管又はエンジン排気ガス管１３を接続し、第二挿通孔９ｂには接続手段１５ｂを介して液体散布管１７を接続する。
【００１８】
タンク１には散布する液体７を液体注入口５より注入し、袋体３の底部３ｂに臨む前記第一挿通孔９ａを介して水道管又はエンジン排気ガス管１３より水道水又はエンジン排気ガスを該タンク１内に圧入して該袋体３の底部３ｂを液体散布管１７が接続された前記第二挿通孔９ｂに接近する方向に押圧させることにより、該タンク１内の液体７を該液体散布管１７より散布するようになす。
【００１９】
液体注入口５より注入した液体７がタンク１を満たしたときには、タンク１の略二分の一の容積を有する袋体３は、図１に示すように、底部３ｂが前記第一挿通孔９ａに近接した状態となる。袋体３の底部３ｂに臨む前記第一挿通孔９ａを介して水道水又はエンジン排気ガスを該タンク１内に圧入すると、袋体３の底部３ｂは液体散布管１７が接続された前記第二挿通孔９ｂに接近する方向に動く。このとき、該袋体３の前記開口縁３ａ’はタンク１の中央部１ａにおける内面に密着しているため、袋体３は表裏反転し、底部３ｂが前記第二挿通孔９ｂに接近する。このようにして、タンク１内の液体７の略全量が前記第二挿通孔９ｂに接続された液体散布管１７より散布される。
【００２０】
本発明における好ましい事例においては、液体注入口５は、前記タンク１における前記中央部１ａを挟んで相対向する位置にそれぞれ備えさせた第一液体注入口５ａと第二液体注入口５ｂとよりなる。すなわち、タンク１における前記中央部１ａよりも前記第二挿通孔９ｂに近い位置に液体注入口５ａを備えさせ、該中央部１ａよりも前記第一挿通孔９ａに近い位置に第二液体注入口５ｂを備えさせる。更に、前記水道管又はエンジン排気ガス管１３と液体散布管１７とは前記第一挿通孔９ａと第二挿通孔９ｂとのいずれに対しても接続・分離可能とする。
【００２１】
この事例においては、前記袋体３の底部３ｂを液体散布管１７が接続された前記第二挿通孔９ｂに接近する方向に押圧させて該タンク１内の液体７を該液体散布管１７より散布した後、前記第一挿通孔９ａには水道管又はエンジン排気ガス管１３に代えて液体散布管１７を接続し、前記第二挿通孔９ｂには液体散布管１７に代えて水道管又はエンジン排気ガス管１３を接続する（図３参照）と共に、散布する液体７を該袋体３に臨まない第二液体注入口５ｂを介して該タンク１内に注入し、袋体３の底部ｂに臨む前記第ニ挿通孔９ｂを介して該水道管又はエンジン排気ガス管１３より水道水又はエンジン排気ガスを該タンク１内に圧入して該袋体３の底部３ｂを液体散布管１７が接続された前記第一挿通孔９ａ方向に押圧させることにより、該タンク１内の液体７を該液体散布管１７より散布する。
【００２２】
第一挿通孔９ａの接続手段１５ａと第二挿通孔９ｂの接続手段１５ｂには、それぞれ液体７又は水道水若しくはエンジン排気ガスの流れを制御するための弁１９ａ、１９ｂを備えさせる。符号２１ａ、２１ｂに示すものは、タンク１に備えさせた圧力計である。
【００２３】
図６に示すタンク１は上下方向に折り畳み自在に形成されている。タンク１を上下方向に折り畳み自在ならしめるためには、一例として、タンク１をゴム製とし、該タンク１の壁部を蛇腹状に形成する。図６における符号２３に示すものは蛇腹部である。なお、タンク１は上下方向に折り畳み自在となすために、該タンク１を上下方向に二つ折りに可能ならしめても差し支えない。
【００２４】
本発明による液体散布装置は、地面、トラックの荷台又は適宜の台部に載置して使用してもよいが、ヘリコプター等の飛行体に取り付けて使用しても差し支えない。
【００２５】
タンク１内に圧入されるエンジン排気ガスは、トラック等の自動車のエンジンから排出されるものであってもよいが、ヘリコプター等の飛行体のエンジンから排出されるものであっても差し支えない。タンク１内に圧入される水道水は、適宜の水道設備から供給される物を使用する。
【符号の説明】
【００２６】
１  タンク
１ａ  中央部
１ｂ  端部
１ｃ  端部
３  袋体
３ａ  一端
３ａ’  開口縁
３ｂ  底部
５  液体注入口
５ａ  第一液体注入口
５ｂ  第二液体注入口
７  液体
９ａ  第一挿通孔
９ｂ  第二挿通孔
１３  水道管又はエンジン排気ガス管
１５ａ  接続手段
１５ｂ  接続手段
１７  液体散布管
１９ａ  弁
１９ｂ  弁
２１ａ  圧力計
２１ｂ  圧力計
２３  蛇腹部
【図１】
2018126083.tif 000003
【図２】
2018126083.tif 000004
【図３】
2018126083.tif 000005
【図４】
2018126083.tif 000006
【図５】
2018126083.tif 000007
【図６】
2018126083.tif 000008